(57)【要約】【課題】被めっき物のめっき用冶具への取付け時の位置決め、めっき用冶具への被めっき物の取付け、脱着が容易で、被めっき物を搖動することなく懸垂保持でき、めっき処理後に被めっき物の板面にめっき用冶具の痕が残ることを防止可能なめっき用冶具、めっき装置及びめっき方法に関する。【解決手段】めっき槽内で被めっき物Ｂ１を吊り下げ支持する支持部１、支持部１の下端側に長さ方向中間部で連結され、磁力提供部２１を載置する上面３１ａ、側面視先細りとなり線状の厚みを有し、被めっき物Ｂ１の外周端部Ｂ１ａの形状に対応する下端辺３１ｂを備えた保持部３１、保持部３１の上側に配設され、複数の永久磁石２ａを保持部３１の上面３１ａに上下方向の磁極方向を同じに配設してなる磁力提供部２１を備えためっき用冶具Ａ１をめっき槽内に配設しためっき装置を利用して、めっき処理を行う。【選択図】    図１
2018199851.tif 000002
【特許請求の範囲】
【請求項１】
磁性体材料からなる薄板状の被めっき物をめっき槽内に吊り下げた状態で保持するめっき用冶具であって、上記めっき槽内で被めっき物を吊り下げ支持する支持部と、該支持部の下端側に長さ方向中間部で連結されて上記被めっき物を保持する保持部と、該保持部の上側に配設されて上記保持部を介して上記被めっき物の当接する外周端部の板厚部分を吸着、保持する磁力を提供する磁力提供部と、を備え、上記保持部は高透磁性体材料からなり、上記磁力提供部を載置する上面と、下端側を側面視先細りにして線状の厚みを有するように形成された下端辺と、を備えると共に、該下端辺の形状が上記被めっき物の当接する外周端部の形状に対応してなり、上記磁力提供部は２個以上の永久磁石を上記保持部の上記上面の上記支持部との連結部分の左側と右側に上下方向における磁極方向が同じになるようにそれぞれ配設してなることを特徴とするめっき用冶具。
【請求項２】
上記永久磁石の残留磁束密度が０．３Ｔ以上である請求項１に記載のめっき用冶具。
【請求項３】
上記永久磁石がネオジウム磁石である請求項１又は２に記載のめっき用冶具。
【請求項４】
上記保持部の上記下端辺における磁場が７００ｋＡ／ｍ以上である請求項１、２又は３に記載のめっき用冶具。
【請求項５】
上記保持部の上記下端辺の厚さが、０．１〜２ｍｍである請求項１乃至４のいずれか１項に記載のめっき用冶具。
【請求項６】
上記保持部の上記上面の奥行に対する上記下端辺の厚さの割合が、下端辺の厚さ／上面の奥行＝１／１００〜１／５である請求項１乃至５のいずれか１項に記載のめっき用冶具。
【請求項７】
上記保持部の上記上面と上記下端辺との最長距離が２０ｍｍ以下である請求項１乃至６のいずれか１項に記載のめっき用冶具。
【請求項８】
上記保持部の下端辺が湾曲した形状を備えた請求項１乃至７のいずれか１項に記載のめっき用冶具。
【請求項９】
上記保持部の上記下端辺の長さ方向中間部に切欠き部が形成されて上記被めっき物を少なくとも二か所に分けて保持する請求項１乃至８のいずれか１項に記載のめっき用冶具。
【請求項１０】
上記保持部の上記下端辺が上下非対称及び左右非対称の少なくともいずれかの形状を有する被めっき物の当接する外周端部の形状に対応した請求項１乃至９のいずれか１項に記載のめっき用冶具。
【請求項１１】
上記保持部の上記下端辺の形状がのこぎりの外周端部の形状に対応した請求項１乃至１０のいずれか１項に記載のめっき用冶具。
【請求項１２】
上記保持部と上記磁力発生部が上記保持部の上記下端辺を除いて絶縁性材料で被覆された請求項１乃至１１のいずれか１項に記載のめっき用冶具。
【請求項１３】
複数の被めっき物にめっき処理を施すめっき装置であって、複数の陽極板が所定間隔で離間して並列状態で配設されためっき槽内に、請求項１乃至１２のいずれか１項に記載のめっき用冶具の複数にそれぞれ保持された上記複数の被めっき物がそれぞれ一の上記陽極板と該陽極板に隣接する上記陽極板との各間に上記被めっき物が上記陽極板に対向するように配設されたことを特徴とするめっき装置。
【請求項１４】
一の上記電極板とこれに隣接する上記電極板との離間距離が５〜１００ｍｍである請求項１３に記載のめっき装置。
【請求項１５】
請求項１乃至１２のいずれか１項に記載のめっき用冶具の上記保持部の上記下端辺に被めっき物の外周端部の板厚部分を取付ける取付工程と、上記めっき用冶具に保持された上記被めっき物をめっき槽内に搬入する搬入工程と、上記めっき槽内のめっき液中で上記被めっき物にめっき処理を行うめっき処理工程と、上記めっき槽内のめっき液中で上記保持部の上記下端辺に取付けられた上記被めっき物を上記板厚部分で移動させて上記めっき用冶具の上記下端辺における取付位置をずらす移動工程とを備えたことを特徴とするめっき方法。
【発明の詳細な説明】
【技術分野】
【０００１】
本発明は、被めっき物をめっき槽内のめっき液中に投入してめっき処理を行う際に、被めっき物をめっき槽内に吊り下げた状態で保持するめっき用冶具、該めっき用冶具を利用しためっき装置及びめっき方法に関し、より詳細には、被めっき物の形状の如何に拘わらず、被めっき物をめっき用冶具に取り付ける際の位置決め、めっき用冶具への被めっき物の取付け及び脱着を容易にすることができ、めっき用冶具と被めっき物との接触性、密着性にも優れ、また、被めっき物を搖動することなくめっき用冶具により懸垂保持することができ、更に、めっき処理後に被めっき物の板面にめっき用冶具の痕が残ることを防止することも可能なめっき用冶具、めっき装置及びめっき方法に関する。
【背景技術】
【０００２】
従来より、薄板状の被めっき物をめっき槽内のめっき液中に入れてめっき処理を行う際に、被めっき物を保持し、めっき槽内に搬入する手段としては、例えば、被めっき物に適当な孔が開設されている場合には、その孔を利用してフックやバネなどの引掛部材を備えた保持具に引掛けてぶら下げた状態でめっき槽内に投入したり、例えば、特許文献１に記載されているように、給電兼用のハンガーで懸垂挟持したり、特許文献２に記載されているように、薄板状の矩形ワークの上辺、下辺を導電性の複数の第１チャック部材、第２チャック部材で把持し、処理槽内の液中にて垂直状態で保持したり、特許文献３に記載されているように、クリップなどの挟持用部材を備えた保持具によって被めっき物の上端付近を懸垂状態に掴んでめっき槽内に投入したりする手段が採用されている。
【０００３】
一方、従来より、磁石を利用しためっき用冶具も種々提案されており、例えば、特許文献４には、電気接続部を有する導電性の部材支持体の接触面に部材を保持するための磁石を有する、部材にメッキを施すための電極、特許文献５には、１列に相前後して配列されておりかつ接触面で以て逆極性の少なくとも２本の隣接した磁極に保持されている強磁性材料から成る複数の部品を保持する装置に関する技術が提案されており、特許文献６、特許文献７には、電子部品にめっきをする際に、電気部品を構成するリード、アースリードの各先端面を磁石によって引き寄せる技術に関する技術が提案されている。
【先行技術文献】
【特許文献】
【０００４】
【特許文献１】特開２００６−３１６３２２号公報
【特許文献２】特開２０１３−１９４３０９号公報
【特許文献３】特開２００２−４７５９９号公報
【特許文献４】特開平８−４１６９１号公報
【特許文献５】特表２００２−５２０８２９号公報
【特許文献６】特開２００５−１３９５００号公報
【特許文献７】特開２００８−１２１０９７号公報
【発明の概要】
【発明が解決しようとする課題】
【０００５】
しかしながら、引掛けてぶら下げた状態でめっき槽内に投入する保持具の場合、取り付けに時間がかかったり、脱着にも手間がかかったり、また、固定が不安定なために搖動してしまい、例えば、電気めっきをするのであれば、電極間距離の幅に余裕がないとぶつかってしまうなどの可能性があったり、被めっき物の形状によってはフックやバネに引掛けたり、吊るすことができないものもあった。更に、通電用フックを利用した場合、被めっき物との接触が点接触となり、接触性、密着性が弱く、高電圧が必要となることもあった。一方、挟持用部材を備えた保持具の場合、薄板状の被めっき物にめっきをする際に、被めっき物の板面に保持具の痕がついてしまうという問題があった。更に、周縁部に湾曲部（反り）があり、且つ左右、上下対象ではない被めっき物の場合、被めっき物を取り付ける際の位置決めが行い難い場合があり、無人化（機械化、オートメーション化）が困難であった。
【０００６】
一方、従来の磁石を利用しためっき用冶具では、例えば、薄板状板材からなる被めっき物を搖動することなく懸垂保持することが可能であり、また、めっき処理後に保持具の痕が残ることを防止したり、薄板状板材からなる被めっき物の保持、めっき槽内への搬入という工程をオートメーション化したりすることも可能な技術は提案されていなかった。
【０００７】
本発明は、上記事情に鑑みなされたもので、被めっき物の形状の如何に拘わらず被めっき物を容易にめっき用冶具に取り付け、脱着することができ、また、被めっき物をめっき用冶具に取り付ける際に容易に位置決めをすることができ、更に、被めっき物を保持する際のめっき用冶具との接触性、密着性を優れたものとし、また、被めっき物を搖動することなく懸垂保持することができ、更に、めっき処理後に被めっき物の板面に保持具の痕が残ることを防止することも可能なめっき用冶具、めっき装置及びめっき方法を提供することを目的とする。
【課題を解決するための手段】
【０００８】
本発明者らは、上記課題に鑑み、鋭意検討した結果、薄板状の被めっき物の保持に関する従来の技術とは全く異なり、磁性体材料からなる薄板状の被めっき物の外周端部の板厚部分を永久磁石の磁力により保持するという発想を得るに至り、更に、このような発想を実現可能とするために、永久磁石の磁力を増強させる手段について、鋭意検討したところ、永久磁石に被めっき物の当接部位を直接、引き付けるのではなく、鉄などの高透磁性体材料からなる部材を保持部として介在させることで、例えば、電気めっきを行うのであれば、通電し易くなることに思い至り、このような保持部を利用するのであれば、例えば、保持部を下端側に向けて漸次薄肉にして被めっき物に当接する保持部の下端辺の厚みを線状にすることによって、永久磁石の磁力を最下端部（下端辺）に集中させることができ、被めっき物を吸着、保持する磁力を格段に優れたものにすることが可能となることを知見し、本発明をなすに至った。
【０００９】
即ち、本発明は、（１）磁性体材料からなる薄板状の被めっき物をめっき槽内に吊り下げた状態で保持するめっき用冶具であって、めっき槽内で被めっき物を吊り下げ支持する支持部と、該支持部の下端側に長さ方向中間部で連結されて被めっき物を保持する保持部と、該保持部の上側に配設されて保持部を介して被めっき物の当接する外周端部の板厚部分を吸着、保持する磁力を提供する磁力提供部と、を備え、保持部は高透磁性体材料からなり、磁力提供部を載置する上面と、下端側を側面視先細りにして線状の厚みを有するように形成された下端辺と、を備えると共に、該下端辺の形状が被めっき物の当接する外周端部の形状に対応してなり、磁力提供部は２個以上の永久磁石を保持部の上面の支持部との連結部分の左側と右側に上下方向における磁極方向が同じになるようにそれぞれ配設してなることを特徴とするめっき用冶具、（２）複数の被めっき物にめっき処理を施すめっき装置であって、複数の陽極板が所定間隔で離間して並列状態で配設されためっき槽内に、上記（１）に記載のめっき用冶具の複数にそれぞれ保持された複数の被めっき物がそれぞれ一の陽極板と該陽極板に隣接する陽極板との各間に被めっき物が陽極板に対向するように配設されたことを特徴とするめっき装置及び（３）上記（１）に記載のめっき用冶具の保持部の下端辺に被めっき物の外周端部の板厚部分を取付ける取付工程と、めっき用冶具に保持された被めっき物をめっき槽内に搬入する搬入工程と、めっき槽内のめっき液中で被めっき物にめっき処理を行うめっき処理工程と、めっき槽内のめっき液中で保持部の下端辺に取付けられた被めっき物を板厚部分で移動させてめっき用冶具の下端辺における取付位置をずらす移動工程とを備えたことを特徴とするめっき方法を提供する。
【００１０】
本発明の（１）めっき用冶具によれば、磁力提供部に使用する磁石として２個以上の永久磁石を利用し、永久磁石を保持部の上面の支持部との連結部分の左側と右側に上下方向における磁極方向が同じになるように、換言すると、上下方向の磁性が同方向となるように、それぞれ配設することによって、被めっき物を吸着、保持する磁力を優れたものにすることが可能となる。そして、この磁力提供部を鉄などの高透磁性体材料からなる保持部の上側に配設して、保持部を被めっき物と磁力提供部との間に介在させることによって、例えば、電気めっきを行うのであれば、通電し易くなる。ここで、本発明のめっき用冶具の場合、保持部の下端辺の形状が被めっき物の当接する外周端部の形状に対応しているので、めっき用冶具の保持部の下端辺に被めっき物の外周端部の板厚部分を取付けることができ、めっき処理後に被めっき物の板面に保持具の痕が残ることを防止することが可能となる。また、被めっき物をめっき用冶具に取り付ける際に、磁力によって被めっき物の外周端部の板厚部分を引き付けることができるので、被めっき物をめっき用冶具に取り付ける際の位置決めが容易となる。更に、下端側を側面視先細りにして線状の厚みを有するように形成された下端辺、換言すると、例えば、下端側に向けて漸次薄肉にして被めっき物に当接する保持部の最下端部に厚み部分として線幅（線の太さと同程度）の平坦部を有するように形成した下端辺、又は、下端部を最先端部（最下端部）に少しの平坦部を有するように尖らせて線状に形成した下端辺とすることによって、永久磁石の磁力を下端辺（厚み部分）に集中させることができ、保持部における被めっき物の当接する外周端部の板厚部分を吸着、保持する磁力を増強させることによって、被めっき物との接触性、密着性を優れたものとすることができる。そして、保持部の長さ方向中間部に下端側が連結した支持部を利用して、薄板状の被めっき物をめっき槽内に吊り下げた状態で、換言すれば、被めっき物を鉛直方向に保持することによって、被めっき物を搖動することなく懸垂保持することが可能となる。
【００１１】
ここで、本発明のめっき用冶具において、永久磁石の残留磁束密度が０．３Ｔ以上であったり、永久磁石がネオジウム磁石（又は、「ネオジム磁石」）であったりすると、高い磁力を得ることがより容易となる。更に、保持部の下端辺における磁場が７００ｋＡ／ｍ以上であると、被めっき物の当接する外周端部の板厚部分を吸着、保持する際の磁力が非常に高いので、被めっき物を強力に吸着、保持することがより容易となる。そして、保持部の下端辺の厚さ（線の太さ）が、０．１〜２ｍｍであったり、保持部の上面の奥行に対する下端辺の厚さの割合が、下端辺の厚さ／上面の奥行＝１／１００〜１／５であったり、保持部の上面と下端辺との最長距離が２０ｍｍ以下であったりすると、保持部の下端辺における磁力を増強することが、より容易となる。
【００１２】
そしてまた、保持部の下端辺が湾曲した形状を備えたものであれば、湾曲した外周形状を有する被めっき物を容易に保持することができる。また、保持部の下端辺の長さ方向中間部に切欠き部が形成されて被めっき物を少なくとも二か所に分けて保持するめっき用冶具であれば、被めっき物は磁力によって保持されているので、被めっき物は保持部の下端辺において移動可能であり、例えば、後述する本発明のめっき方法のように、めっき槽内で保持部の下端辺に取付けられた被めっき物を移動させてめっき用冶具の下端辺における取付位置をずらして、被めっき物の外周端部の板厚部分においてもめっき用冶具の痕が残らないようにする際に、移動距離を短くすることが可能となる。更に、保持部の下端辺が上下非対称及び左右非対称の少なくともいずれかの形状を有する被めっき物の当接する外周端部の形状に対応したものであれば、非対称な形状を有する被めっき物を容易に保持することができ、保持部の下端辺の形状がのこぎりの外周端部の形状に対応したものであれば、のこぎり用部材を容易に保持することができる。そして、保持部と磁力発生部が保持部の下端辺を除いて絶縁性材料で被覆されていると、めっきが冶具につくことはなく、繰り返しめっきをすることができる。なお、本発明のめっき用冶具は、電気めっき、無電解めっきのいずれにも利用することができる。
【００１３】
本発明の（２）めっき装置によれば、複数の陽極板が所定間隔で離間して並列状態で配設されためっき槽内に、本発明のめっき用冶具の複数にそれぞれ保持された複数の被めっき物をそれぞれ一の陽極板と該陽極板に隣接する陽極板との各間に被めっき物が陽極板に対向するように配設されているが、上述したように、本発明のめっき用冶具は被めっき物を搖動することなく懸垂保持しているので、保持している被めっき物がめっき液の撹拌などによって揺すられても搖動することを抑制することができ、複数組の陽極板と被めっき物とがめっき槽内に配設されていても被めっき物と陽極板とがぶつかってしまうような事態を防ぐことが可能となり、めっき装置を大型化しなくても複数の被めっき物に同時にめっき処理を施すことが可能となる。更に、電極間距離を狭めることができるので、同じ電流でも電圧が下がり、必要電力を低く設定することが可能となる。ここで、本発明のめっき装置において、一の電極板とこれに隣接する電極板との離間距離が５〜１００ｍｍであると、通電効率が効率的な電極間距離となり、必要電力を低く設定することがより容易となる。
【００１４】
本発明の（３）めっき方法によれば、本発明のめっき用冶具の保持部の下端辺に被めっき物の外周端部の板厚部分を取付ける取付工程と、めっき用冶具に保持された被めっき物をめっき槽内に搬入する搬入工程と、めっき槽内のめっき液中で被めっき物にめっき処理を行うめっき処理工程と、めっき槽内のめっき液中で保持部の下端辺に取付けられた被めっき物を板厚部分で移動させてめっき用冶具の下端辺における取付位置をずらす移動工程とを備えているので、めっき槽内のめっき液中で保持部の下端辺に取付けられた被めっき物を移動させてめっき用冶具の下端辺における取付位置をずらして、被めっき物の外周端部の板厚部分においてもめっき用冶具の痕が残らないようにすることが可能となる。
【発明の効果】
【００１５】
本発明によれば、被めっき物の形状の如何に拘わらず被めっき物のめっき用冶具への取り付け、脱着を容易に行うことができ、また、被めっき物をめっき用冶具に取り付ける際の位置決めも容易にすることができるので、被めっき物の保持、めっき槽内への搬入という工程をオートメーション化することが可能となり、更に、被めっき物を保持する際のめっき用冶具との接触性、密着性に優れているので、例えば、電気めっき処理を行う際に高電圧を必要とせず、また、被めっき物を搖動することなく懸垂保持することができるので、例えば、電気めっき処理を行う際に、電極間距離を狭めることが可能となり、その結果、必要電力が低くなり、また、めっき槽を大型化することなく複数組の陽極板、被めっき物を配設することが可能となり、更に、めっき処理後に被めっき物の板面に保持具の痕が残ることを防止することも可能となる。
【図面の簡単な説明】
【００１６】
【図１】本発明のめっき用冶具の第一構成例を説明する概略斜視図である。
【図２】本発明のめっき用冶具の第二構成例を説明する概略斜視図である。
【図３】本発明のめっき用冶具の第三構成例を説明する概略正面図である。
【図４】図３のめっき用冶具を拡大して示した概略正面図である。
【図５】図３のめっき用冶具を拡大して示した概略側面図である。
【図６】本発明のめっき用冶具の保持部における永久磁石の磁力の増強手段を説明する説明図である。
【図７】本発明の磁力提供部における永久磁石の磁力の増強手段を説明する説明図である。
【図８】本発明のめっき装置の構成例を説明する概略上面図である。
【図９】図８のＸ−Ｘ線概略断面図である。
【発明を実施するための形態】
【００１７】
以下、本発明につき、図面を参照して、更に詳細に説明する。図１は、本発明の第一構成例のめっき用冶具Ａ１の概略斜視図、図２は、本発明の第二構成例のめっき用冶具Ａ２の概略斜視図、図３は、本発明の第三構成例のめっき用冶具Ａ３の概略正面図、図４はめっき用冶具Ａ３の拡大正面図、図５はめっき用冶具Ａ３の拡大側面図である。図１〜３において、めっき用冶具Ａ１、Ａ２、Ａ３がそれぞれ保持する被めっき物Ｂ１、Ｂ２、Ｂ３を二点鎖線（想像線）で示した。
【００１８】
図１〜５に示すように、めっき用冶具Ａ１、めっき用冶具Ａ２、めっき用冶具Ａ３は、それぞれ被めっき物を吊り下げ支持する長板形状の支持部１の下端部に保持部３１、３２、３３がそれぞれ正面視略逆Ｔ字状を形成するように長さ方向中間部が連結されている。なお、本発明の支持部は、被めっき物をめっき槽内で吊り下げ保持するものであり、その形状は特に制限されるものではない。そして、各保持部３１、３２、３３の各上面３１ａ、３２ａ、３３ａには、それぞれ後述するように磁力提供部２１、２２、２２が配設されている。各保持部３１、３２、３３の各下端辺３１ｂ、３２ｂ、３３ｂは、図１、図２、図５に示すように、下端側に向かって厚さが次第に薄くなって、下端側が側面視先細りになり、線状の厚み（線の太さと同程度の幅を有する平坦部）を有する下端辺が形成されており、その下端辺の厚み部分が各被めっき物Ｂ１、Ｂ２、Ｂ３の外周端部Ｂ１ａ、Ｂ２ａ、Ｂ３ａの板厚部分と線接触している。本発明のめっき用冶具は、このように保持部の下端部を側面視先細りにして下端辺の厚み部分が線の太さと同程度の厚さになるように尖らせることによって、図６に示すように保持部３４の上面３４ａからの磁力線Ｍを下端辺３４ｂに集中させて下端辺３４ｂにおける磁力を増強させたものである。なお、本発明において下端辺が線状の厚みを有するように先細りとするための形状は特に制限されるものでなく、例えば、保持部３１、３２のように上面３１ａ、３２ａから下端側に向けて厚さを次第に薄くして、側面視形状が略三角形乃至は最下端部に線幅と同程度の平坦部（線状の厚み）を有する略逆台形の形状となったものであっても良く、保持部３３のように高さ方向の中間から下端側に向けて厚さを次第に薄くして、高さ方向の中間から下端側の側面視形状が略三角形乃至は最下端部に線幅と同程度の平坦部を有する略逆台形の形状となったものであっても良く、保持部３４のように下端側において厚さを二段階に分けて次第に薄くしたものであっても良い。そして、図３〜図５に示すめっき用冶具Ａ３は、支持部１から磁力発生部２２、保持部３３に至るまで、保持部３３の下端辺３３ｂなどの必要箇所を除いて絶縁性材料からなる絶縁被膜４によって被覆されている。本発明のめっき用冶具の絶縁性材料としては、例えば、塩化ビニル、ポリテトラフルオロエチレン塗装、粉末プラスチック等を挙げることができる。本発明のめっき用冶具の場合、支持部の材質は、被めっき物を吊り下げ保持する強度を有する材質であれば良いが、本発明のめっき用冶具を電気めっきに利用するのであれば、支持部が給電機能を兼ねていると、より好適であり、このような材質としては、例えば鉄、ニッケル等の磁性材料を挙げることができる。そして、このような材質からなる支持部の場合、めっき用冶具Ａ３のように、通電箇所などの必要箇所を除いて支持部１も絶縁性材料で被覆することによって、電気めっきに好適に利用することができる。
【００１９】
ここで、本発明において、保持部の下端辺の厚さ（図６中矢印Ｔ）は、線状の厚みとなるのであれば特に制限されるものではないが、本発明の下端辺の厚さが、好ましくは０．１〜２ｍｍ、より好ましくは０．２〜１ｍｍ、更に好ましくは０．３〜０．５ｍｍであると、より好適である。下端辺の厚みとなる平坦部は小さい程、被めっき物の外周端部に保持具の跡が残り難くなるが、下端辺の厚さが薄すぎると、厚み部分に当接させた被めっき物を搖動することなく保持し難くなる場合などがあり、厚すぎると、例えば、磁力を下端辺に十分に集中させ難くなるなどの場合がある。なお、線の太さについては、例えば、ＪＩＳ  Ｚ  ８３１２：１９９９には、０．１３〜２ｍｍの間で９種類の線の太さが規定されている。また、保持部の上面の奥行（図６中矢印Ｄ）は、載置する永久磁石の大きさなどに合わせて適宜選定することができ、上面の奥行（図６中矢印Ｄ）に対する下端辺の厚さ（図６中矢印Ｔ）の割合も特に制限されるものではないが、好ましくは、下端辺の厚さ／上面の奥行（Ｔ／Ｄ）が好ましくは１／１００〜１／５、より好ましくは１／５０〜１／１０、更に好ましくは３／１００〜１／２０であると、より好適である。下端辺の厚さの割合が小さすぎると、それ以上の磁力集中作用が得られ難くなる場合があり、下端辺の厚さの割合が大きすぎると、永久磁石の磁力を下端辺に十分に集中させ難くなる場合がある。更に、保持部の上面と下端辺との距離は、特に制限されるものではないが、最長距離、即ち、例えば、図１に示すめっき用冶具Ａ１の保持部３１、図６に示す保持部３４のように各保持部３１、３４の各下端辺３１ｂ、３４ｂが直線である場合は、図１中の矢印Ｈ１、図６中の矢印Ｈ４で示すように、各保持部３１、３４の各上面３１ａ、３４ａから各下端辺３１ｂ、３４ｂまでの距離、図２に示すめっき用冶具Ａ２の保持部３２の下端辺３２ｂのように長手方向の左右に向けて下がるように湾曲した形状を備えている場合は、図２中の矢印Ｈ２で示すように上面３２ａから下端辺３２ｂの最も下がった箇所までの距離、図４、５に示すめっき用冶具Ａ３の保持部３３の下端辺３３ｂのように長手方向の中央部に向けて下がるように湾曲した形状を備えている場合は、図４、５中の矢印Ｈ３で示すように上面３３ａから下端辺３３ｂの最も下がった箇所までの距離であり、このような最長距離が、好ましくは２０ｍｍ以下、より好ましくは１５ｍｍ以下であると、より好適である。保持部の上面と下端辺との距離が長すぎると、十分な磁力が保持部の下端辺に到達し難くなる場合がある。なお、保持部の上面と下端辺との距離の下限値は、実用性を考慮すれば、好ましくは１ｍｍ以上であることが望ましい。
【００２０】
本発明のめっき用冶具の保持部の下端辺は保持する被めっき物の当接する外周端部の形状に対応しており、図１に示すようにめっき用冶具Ａ１の保持部３１の下端辺３１ｂは、長方形の薄板状の被めっき物Ｂ１の上端部Ｂ１ａの形状に対応した直線となっており、図２に示すようにめっき用冶具Ａ２の保持部３２の下端辺３２ｂは、楕円形の薄板状の被めっき物Ｂ２の上側端部Ｂ２ａの形状に対応した曲線となるように湾曲した形状を備えており、図３に示すようにめっき用冶具Ａ３の保持部３３の下端辺３３ｂは、上下非対称、且つ左右非対称な形状を有するのこぎり用部材である薄板状の被めっき物Ｂ３ののこ身ののこぎり刃形成部位Ｂ３ａに対応した曲線となるように湾曲した形状を備えると共に、下端辺３３ｂは長さ方向中間部に切欠き部３３ｃが形成されて被めっき物Ｂ３を二か所に分けて保持するように構成されている。本発明において、下端辺の長さ方向中間部に切欠き部を形成する場合、その形状、大きさは、特に制限されるものではなく、適宜選定することができる。なお、図３中、Ｂ３ｂ、Ｂ３ｂ、Ｂ３ｂ、Ｂ３ｂは、のこぎり用部材に柄（握り部）を取付けるための留めねじ用孔である。本発明において保持部は、高透磁性体材料からなるものであり、高透磁性体材料としては、例えば、鉄、ニッケルなどを挙げることができる。
【００２１】
めっき用冶具Ａ１の磁力提供部２１は、２個の永久磁石２ａ、２ａが保持部３１の上面３１ａに支持部１の左右側にそれぞれ配設されて磁力提供部２１を形成しており、めっき用冶具Ａ２、Ａ３の各磁力提供部２２、２２は、４個の永久磁石２ａ、２ａ、２ａ、２ａが保持部３２、３３の各上面３２ａ、３３ａに支持部１、１の左右側にそれぞれ隣接する永久磁石２ａ、２ａが適宜間隔で離間して配設されて磁力提供部２２、２２を形成している。なお、各永久磁石は、高透磁性材料からなる保持部の上面に載置されて、磁力によって配設位置が固定されている。
【００２２】
本発明において、複数の永久磁石は、保持部の上面に上下方向の磁極方向が同じになるように配設されることによって、磁力を増強させている。ここで、図７に示す（ａ）〜（ｅ）を参照して本発明における磁力を増強させる手段について説明する。図７において、等号、不等号は、保持部３０の下端辺３０ｂにおける磁力の強さを比較した結果を示している。なお、（ａ）〜（ｅ）における保持部３０の下端辺３０ｂにおける磁力の強さは、市販の磁力測定器により測定した。図７において縦方向に配列した（ａ）、（ｂ）、（ｃ）では、４個の同一の永久磁石２ａを２個一組として保持部３０の上面３０ａの左側と右側にそれぞれ配設して磁力提供部２２、２２ｂ、２２ｃを形成した。そして、（ａ）の磁力提供部２２は、２個一組の永久磁石２ａ、２ａを適宜間隔で離間させて磁極方向が同じになるようにそれぞれ配設したものであり、（ｂ）の磁力提供部２２ｂは、２個一組の永久磁石２ａ、２ａを離間させない状態で磁極方向が同じになるようにそれぞれ配設したものであり、（ｃ）の磁力提供部２２ｃは、２個一組の永久磁石２ａ、２ａを離間させない状態で磁極方向を逆にしてそれぞれ配設したものである。ここで、（ｂ）の下端辺３０ｂにおける磁力と（ｃ）の下端辺３０ｂにおける磁力を比較すると、（ｂ）の下端辺３０ｂにおける磁力の方が（ｃ）の下端辺３０ｂにおける磁力よりも強く、４個の永久磁石２ａを磁極方向が同じになるように配設することによって下端辺３０ｂにおける磁力が強くなることが認められた。（ｃ）の磁力提供部２２ｃの場合、磁極方向が磁石だけで引き合い、ほとんど、保持部３０に磁力は出てこない。しかし、４個の永久磁石を磁極方向が同じになるようにすることによって、強い磁力が得られた。次に、（ａ）の下端辺３０ｂにおける磁力と（ｂ）の下端辺３０ｂにおける磁力を比較すると、（ａ）の下端辺３０ｂにおける磁力と（ｂ）の下端辺３０ｂにおける磁力は変わらなかった。
【００２３】
次に、図７において横方向に配列した（ｂ）、（ｄ）、（ｅ）における永久磁石の配列構成を説明すると、（ｂ）、（ｄ）、（ｅ）では、合計体積が同じとなる複数の永久磁石を上下方向における磁極方向が同じになるようにそれぞれ配設して磁力提供部２２ｂ、２２ｄ、２２ｅを形成したものであり、（ｂ）の磁力提供部２２ｂで使用している永久磁石２ａの高さを１とすると、（ｄ）の磁力提供部２２ｄで使用している永久磁石２ｃの高さは２倍、（ｅ）の磁力提供部２２ｅで使用している永久磁石２ｂの高さは２／３（３分の２）である。そして、（ｂ）の下端辺３０ｂにおける磁力、（ｄ）の下端辺３０ｂにおける磁力、（ｅ）の下端辺３０ｂにおける磁力を比較すると、（ｄ）、（ｂ）、（ｅ）の磁力は変わらなかった。これらの結果によれば、合計体積が同じ複数の永久磁石を使用する場合、配置する永久磁石の個数（個々の永久磁石の形状、大きさ）、複数の永久磁石の配置間隔によって下端辺３０ｂにおける磁力は変化しないことが認められた。これは、保持部３０の磁力が飽和した状態になったためであると思われる。このことから、磁石は３個一組でも良い。
【００２４】
ここで、本発明のめっき用冶具において、永久磁石の種類は、特に制限されるものではないが、磁力が強い永久磁石であることが望ましく、例えば、残留磁束密度が、好ましくは０．３Ｔ以上、より好ましくは０．８Ｔ以上、更に好ましくは１．０Ｔ以上であると、より好適である。永久磁石の残留磁束密度が小さすぎると、所望の磁力を得られ難くなる場合がある。なお、残留磁束密度の上限値は特に制限されない。このような永久磁石としては、例えば、ネオジウム磁石（又は、「ネオジム磁石」）などを挙げることができる。また、本発明の場合、永久磁石の形状は特に制限されないが、取扱い性などを考慮すると、角形がより好適である。更に、保持部の下端辺における磁場が好ましくは７００ｋＡ／ｍ以上、より好ましくは９００ｋＡ／ｍ以上、更に好ましくは１０００ｋＡ／ｍ以上であると、より好適である。保持部の下端辺における磁場が小さすぎると、被めっき物を強力に吸着、保持し難くなる場合がある。なお、保持部下端辺における磁場の上限値は特に制限されない。
【００２５】
本発明のめっき用冶具は、磁性体材料からなる薄板状の被めっき物を保持するものであり、磁性体材料としては、例えば、鉄系金属、ニッケル系金属などを挙げることができる。また、被めっき物の板厚としては、好ましくは０．１〜４ｍｍ、より好ましくは０．３〜３ｍｍ、更に好ましくは０．５〜２ｍｍ、より更に好ましくは１〜１．５ｍｍであると、より好適である。被めっき物の板厚が薄すぎると、取扱い難くなる場合があり、厚すぎると、保持し難くなる場合がある。
【００２６】
図１に示しためっき用冶具Ａ１は、長方形の薄板状の被めっき物Ｂ１の上辺形状（上端部Ｂ１ａ）の形状に対応した直線となっている保持部３１の下端辺３１ｂを被めっき物Ｂ１の当接する上端部Ｂ１ａの板厚部分に線接触させることにより、被めっき物Ｂ１を垂直姿勢に保持することができる。同様に、図２に示しためっき用冶具Ａ２は、楕円形の薄板状の被めっき物Ｂ２を横長な状態にして保持するものであり、被めっき物Ｂ２の上側端部Ｂ２ａの形状に対応した曲線となるように湾曲した形状を備えためっき用冶具Ａ２の保持部３２の下端辺３２ｂを被めっき物Ｂ２の当接する上側端部Ｂ２ａの板厚部分に線接触させることにより、被めっき物Ｂ２を横長な状態にして垂直姿勢に保持することができ、図３〜５に示すめっき用冶具Ａ３は、長さ方向中間部に切欠き部３３ｃが形成され、二分割された状態でのこぎり用部材である薄板状の被めっき物Ｂ３ののこぎり刃形成部位Ｂ３ａに対応した曲線となるように湾曲した形状を備えた保持部３３の下端辺３３ｂをのこぎり刃形成部位Ｂ３ａの長手方向の左右縁部の板厚部分にそれぞれ線接触させて被めっき物Ｂ３を二か所に分けて保持することができる。
【００２７】
次に、本発明のめっき装置を図８、９を参照して説明する。図８は、本発明のめっき装置の構成例に係るめっき装置Ｃの構成を説明する概略上面図、図９は、めっき装置Ｃのめっき槽内の構成を示した概略縦断面図である。めっき装置Ｃは、本発明のめっき用冶具の第三構成例であるめっき用冶具Ａ３に、上述したようにのこぎり用部材である薄板状の被めっき物Ｂ３ののこぎり刃形成部位Ｂ３ａを二か所に分けて保持させている。なお、図８では、めっき用冶具Ａ３、被めっき物Ｂ３の詳細な構成は省力して示した。
【００２８】
めっき装置Ｃは、めっき槽５内に６枚の陽極板６が所定間隔で離間して並列状態で配設されている。そして、上記のように５体のめっき用冶具Ａ３にそれぞれ保持された５枚の被めっき物Ｂが一の陽極板６とこれに隣接する陽極板６との各間に被めっき物Ｂ３が陽極板６に対向するように配設されて、被めっき物Ｂ３の全体がめっき液７中に浸漬されている。そして、各めっき用冶具Ａ３の各支持部１は、それぞれ陰極に接続されている。なお、各めっき用冶具Ａ３に保持された各被めっき物をめっき槽５に配設し、その位置を固定する手段は特に制限されるものではなく、例えば、支持部１に適宜固定手段を設けておくことによって、配設位置を固定することができる。ここで、本発明のめっき装置は、一の陽極板とこれに隣接する陽極板との距離が特に制限されるものではないが、一の電極板６とこれに隣接する電極板６との離間距離（図８中矢印Ｌ）が好ましくは５〜１００ｍｍ、より好ましくは５〜５０ｍｍ、更に好ましくは１０〜４０ｍｍとなるように一の陽極板とこれに隣接する陽極板との距離を設定すると、より好適である。電極板間の距離が離れすぎると、通電効率を十分に向上させ難くなる場合があり、近すぎると取扱い難くなる場合がある。
【００２９】
めっき装置Ｃによれば、図示しない攪拌機によりめっき槽５内のめっき液６を攪拌しながら、電気めっきを行っても、各めっき用冶具Ａ３が各被めっき物Ｂ３をそれぞれ搖動することなく懸垂保持しているので、めっき槽５内で被めっき物Ｂ３と陽極板６とがぶつかってしまうような事態を防ぐことできる。なお、本発明のめっき装置を用いて電気めっき処理を施す場合、必要電力を低くすることも可能であるが、めっき処理時の必要電力は特に制限されるものでなく、適宜選定することができる。
【００３０】
次に、本発明のめっき方法の構成例として、図８、９に示すめっき装置Ｃに替えて１対の陽極板６、６をめっき槽５内に配設して、１体のめっき用冶具Ａ３により保持された１枚の被めっき物Ｂ３に電気めっき処理を施すめっき方法を説明する。まず、取付工程として上述したようにめっき用冶具Ａ３の保持部３３の下端辺３３ｂに被めっき物Ｂ３の外周端部Ｂ３ａの板厚部分を取付け、次いで、搬入工程としてめっき用冶具Ａ３に保持された被めっき物Ｂ３をめっき槽５内に搬入し、めっき処理工程としてめっき槽５内のめっき液７中で被めっき物Ｂ３にめっき処理を行いながら、移動工程としてめっき槽５内のめっき液７中で保持部３３の下端辺３３ｂに取付けられた被めっき物Ｂ３を図示しない移動手段によって移動させてめっき用冶具Ａ３の下端辺３３ｂにおける取付位置をずらすことによって、めっき槽５内で保持部３３の下端辺３３ｂに取付けられた被めっき物Ｂ３を移動させてめっき用冶具Ａ３の保持部３３の下端辺３３ｂにおける取付位置をずらしながら、被めっき物にめっき処理を施すことができる。
【００３１】
なお、本発明は、上記構成に限定されるものではなく、本発明の要旨を逸脱しない範囲で種々変更することができる。
【実施例】
【００３２】
以下、実施例を示して本発明を具体的に説明するが、本発明は下記実施例に限定されるものではない。
【００３３】
上記第三構成例のめっき用冶具Ａ３の永久磁石２ａとして市販のネオジウム磁石（ＮＥＯＭＡＸ製、形状：立方体、大きさ：１０×１０×１０（ｍｍ）、磁力：１．２Ｔ）、離間間隔（図７中矢印ｌ）を５ｍｍ、下端辺の厚さ（図６中矢印Ｔ）を０．５ｍｍ、下端辺の厚さ（図６中矢印Ｔ）／保持部の上面の奥行（図６中矢印Ｄ）＝０．５（ｍｍ）／１５（ｍｍ）＝１／３０、保持部の上面から下端辺までの最長距離（図４、図５中矢印Ｈ３）を１０ｍｍとしためっき用冶具（保持部の下端辺における磁場が１１００ｋＡ／ｍ）を使用した。被めっき物として、のこぎり刃（板厚１．３ｍｍ、３ｄｍ２／枚）を使用したところ、被めっき物のめっき用冶具への取り付け、脱着を容易に行うことができ、また、被めっき物をめっき用冶具に取り付ける際の位置決めも容易にすることができた。５枚ののこぎり刃（被めっき物）をそれぞれめっき用冶具で懸垂保持し、一の電極板とこれに隣接する電極板との離間距離（図８中矢印Ｌ）を３５ｍｍとしためっき装置のめっき液中に投入して、５枚同時に２５０Ａで２０分間、電気めっきの常法により硬質クロムめっきをしたところ、めっき液への投入時、めっき処理中（めっき液の撹拌時）に被めっき物であるのこぎり刃が搖動することがなく、２〜４μｍの均一なクロムめっきが得られた。めっき処理後に被めっき物の板面に保持具の痕は残っていなかった。なお、めっき用冶具に取り付けられたのこぎり刃は、成人男子がかなり強い力で前後（板厚方向）に揺らしても搖動しなかった。
【符号の説明】
【００３４】
Ａ１、Ａ２、Ａ３  めっき用冶具
Ｂ１、Ｂ２、Ｂ３  被めっき物
Ｂ１ａ、Ｂ２ａ、Ｂ３ａ  外周端部
Ｃ  めっき装置
Ｄ  上面の奥行
Ｈ１、Ｈ２、Ｈ３、Ｈ４  上面と下端辺との最長距離
Ｌ  一の電極板とこれに隣接する電極板との離間距離
Ｔ  下端辺の厚さ
１  支持部
２ａ、２ｂ、２ｃ  永久磁石
２１、２２、２２ｂ、２２ｃ、２２ｄ、２２ｅ  磁気提供部
３０、３１、３２、３３、３４  保持部
３０ａ、３１ａ、３２ａ、３３ａ、３４ａ  上面
３０ｂ、３１ｂ、３２ｂ、３３ｂ、３４ｂ  下端辺
３３ｃ  切欠き部
４  絶縁被膜（絶縁性材料）
５  めっき槽
６  陽極板
７  めっき液
【図１】
2018199851.tif 000003
【図２】
2018199851.tif 000004
【図３】
2018199851.tif 000005
【図４】
2018199851.tif 000006
【図５】
2018199851.tif 000007
【図６】
2018199851.tif 000008
【図７】
2018199851.tif 000009
【図８】
2018199851.tif 000010
【図９】
2018199851.tif 000011